(57)【要約】      （修正有）【課題】２つのばねを備える往復式自在スパナを提供する。【解決手段】使用者の把持に提供する把持端を含み、枢接端１０２に受入穴１１を設けられ、受入穴１１を枢接端１０２の端部に凹設するハンドル１０と、ハンドル１０の枢接端１０２に枢接し、一端は挟持口ａを設け、他端は係止面２１を設け、被駆動部材を挟持口ａに挟み込むことのできるヘッド部２０と、一端は受入穴に収容する第１ばね３０と、一端は受入穴に収容していて、かつ第１ばねに穿設する第２ばね４０と、を備える。第１ばね３０と、第２ばね４０の受入穴の反対端は当設面に当接し、第２ばね４０と第１ばね３０に異なる巻き込み方向を形成することによって、第１ばね３０と第２ばね４０の過度な揺動による変形を防止できる。【選択図】図６
0003183139.tif 000002
【実用新案登録請求の範囲】
【請求項１】
把持端と、枢接端とを含み、前記把持端と前記枢接端はそれぞれ反対端に位置し、前記把持端は使用者の把持に備え、前記枢接端に受入穴を設け、前記受入穴は前記枢接端の端部に凹設するハンドルと、
前記ハンドルの前記枢接端に枢接し、一端は挟持口を設け、他端は係止面を設け、被駆動部材を前記挟持口にて挟み込むヘッド部と、
一端は前記受入穴に収容していて、かつ前記受入穴の反対端を前記係止面に係止する第１ばねと、
一端は前記受入穴に収容していて、かつ前記第１ばねに穿設し、前記受入穴の反対端は前記係止面に係止し、前記第１ばねと異なる巻き込み方向を形成し、前記ヘッド部が前記ハンドルに対して揺動のとき、前記第１ばねと合わせて前記ヘッド部の復位を提供し、かつ前記第１ばねと異なる巻き込み方向を形成することによって、前記第１ばねとが過度な揺れ動きによる変形を防止できる第２ばねと、を備えることを特徴とする、２つのばねを備える往復式自在スパナ。
【請求項２】
枢軸と、制動装置とをさらに含み、前記第１ばねと、前記第２ばねは圧縮ばねであり、前記第１ばねの弾性解放によって、第１長さを形成し、前記第２ばねの弾性解放によって、第２長さを形成し、前記第１長さは前記第２長さに等しく、
前記ハンドルに備える前記枢接端の端部は第１係止面と、第２係止面とを含み、前記係止面は前記第１係止面に係止していて、かつ前記係止面が前記第１ばねと、前記第２ばねとを係止し、前記挟持口が被駆動部材を挟み込み、前記第１ばねと、前記第２ばねとが共に前記係止面を係止することによって、前記第２係止面を前記係止面に係止され、
前記ヘッド部は第１端と、第２端とを有し、前記ヘッド部の前記第１端は前記ハンドルの前記枢接端に枢接し、前記ヘッド部の前記第１端は前記係止面を設けられ、前記ヘッド部の前記第２端は前記挟持口を形成し、前記枢接端に第１枢支穴を設け、前記ヘッド部は第２枢支穴と嵌め継ぎ溝とを含み、前記第２枢支穴は前記嵌め継ぎ溝に連絡し、前記嵌め継ぎ溝は前記第２端の端部を貫き、前記嵌め継ぎ溝を前記ハンドルの前記枢接端に嵌め継ぎ、前記係止面は前記嵌め継ぎ溝内部の底面に位置し、前記枢軸は前記第１枢支穴と、前記第２枢支穴とを穿設することによって、前記ハンドルと、前記ヘッド部とを一体に枢接され、
前記枢接端はさらに切欠きを設けられ、前記切欠きは前記受入穴に隣接し、前記切欠きは前記第１係止面に穿設し、前記ヘッド部は収容溝を含み、前記収容溝は前記嵌め継ぎ溝に連絡し、前記制動装置は前記ハンドルと前記ヘッド部との間に組み付けられ、前記制動装置は前記収容溝に穿設していて、かつ選択により前記切欠きに位置し、前記制動装置は前記係止面に係止され、
前記制動装置は制動具と、制動ブロックとを含み、前記制動具は制動部と、軸部とを含み、前記軸部を前記ヘッド部の前記収容溝に穿設することによって、前記嵌め継ぎ溝に延ばし、前記制動部は前記ヘッド部の外部に位置し、前記制動ブロックは第１係止面と、第２係止面と、丸穴とを含み、前記第１係止面はＬ字を形成し、前記第２係止面は前記第１係止面に隣接し、前記丸穴は前記制動ブロックに穿設し、前記制動ブロックは前記嵌め継ぎ溝に内設していて、かつ前記制動ブロックの第１係止面は前記ハンドルの前記切欠きに当設し、前記制動具の前記軸部は前記丸穴を穿設することによって、前記制動具が前記制動ブロックを駆動し移動することができ、
前記制動装置は前記第１位置と前記第２位置との間で切り換え改変ができ、前記制動装置を前記第１位置と前記第２位置に切り換えられたとき、本考案の２つのばねを備える往復式自在スパナを第１方向に回して被駆動部材を駆動回動することができ、前記制動装置を前記第１位置に切り換えられたとき、本考案の２つのばねを備える往復式自在スパナを第２方向に回して被駆動部材を駆動回動することができ、
前記制動装置を前記第１位置に切り換えられたとき、前記制動装置の前記制動ブロックに備える前記第１係止面が前記ハンドルの前記切欠きに当接することによって、本考案の２つのばねを備える往復式自在スパナを第２方向に回して被駆動部材を駆動回動することができ、
使用者が前記制動部を回して、前記軸部によって前記制動ブロックを駆動し前記切欠きを離脱したとき、前記制動装置は第２位置に位置され、
本考案の２つのばねを備える往復式自在スパナを第２方向に回したとき、本考案の２つのばねを備える往復式自在スパナは前記被駆動部材に対してラチェット運動を形成することを特徴とする、２つのばねを備える往復式自在スパナ。
【請求項３】
揺動具と、調節装置とをさらに含み、前記揺動具は揺動部と、２つの押し当て面とを含み、前記押し当て面は前記揺動部に沿って延在し、前記揺動部の周辺部は湾曲を形成し、前記押し当て面は平坦面を形成し、
前記ヘッド部は制限溝を含み、前記枢接端に揺動溝を設け、前記揺動溝は湾曲部と、２つの斜面とを含み、前記湾曲部は２つの前記斜面の間に位置され、
前記揺動具の前記揺動部は前記揺動溝の前記湾曲部に設け、前記揺動具の前記押し当て面が前記制限溝を押し当て、
前記調節装置は軸と、弾性体と、ウォームギヤと、留め具とを含み、前記ヘッド部は固定顎と、可動顎と、収容空間と、通り穴とを含み、前記固定顎と前記可動顎との間に前記挟持口を形成し、前記可動顎が前記固定顎に対して移動することによって、前記挟持口の開度を制御でき、前記収容空間は前記通り穴に連絡し、前記通り穴は前記制限溝に連絡し、前記軸は前記通り穴及び前記収容空間に穿設し、前記弾性体と、前記ウォームギヤと、前記留め具とを前記収容空間に内設され、前記軸は順を追って、前記弾性体と、前記ウォームギヤとを穿設し、前記留め具は前記軸に係着し、前記ウォームギヤを回すことによって、前記可動顎を前記固定顎に対して移動することができ、
前記軸は順を追って、第１リング溝と、大きい径の区間と、小さい径の区間と、第２リング溝とを含み、前記軸の前記第１リング溝は前記通り穴に対応し、前記揺動具の前記押し当て面は前記第１リング溝に延在し、前記大きい径の区間は前記弾性体に対応し、前記小さい径の区間は前記ウォームギヤに対応され、
２つの前記押し当て面うちの一つ端面は第１面取り部を設けられ、前記第１リング溝と、前記大きい径の区間とのつなぎ場所に第２面取り部を形成し、前記第１面取り部は前記第２面取り部に対応し、前記揺動具と前記第１リング溝は前記第１面取り部と、前記第２面取り部によって、両者は容易に離脱できることを特徴とする、請求項１記載の２つのばねを備える往復式自在スパナ。
【考案の詳細な説明】
【技術分野】
【０００１】
本考案は往復式自在スパナに関し、特に２つのばねを備える往復式自在スパナに関する。
【背景技術】
【０００２】
台湾特許証書第Ｉ３５４６０５号（特許文献１）はハンドル部と、ヘッド部と、可動顎と、軸棒と、ウォームギヤと、を備える往復式自在スパナであって、前記ハンドル部は前記ヘッド部の枢設に備える接続端を有し、前記ヘッド部は固定顎と、滑り溝と、収容溝と、連絡穴とを形成され、前記連絡穴は収容穴に連絡し、前記ヘッド部と前記接続端との間は、可動ピンと、ばねとを設けられ、前記可動ピンの上端は選択により前記連絡穴に穿設し、前記可動ピンの径方向に延在して押し当て縁部を設け、前記ばねは前記可動ピンに設けていて、かつ前記押し当て縁部と、前記ヘッド部との間に押し当てることによって、前記可動ピンの下端を前記接続端に押し当て、前記ウォームギヤは前記可動顎左右方向の摺動を制御でき、かつ前記ウォームギヤは前記軸棒に沿って摺動自在にて前記収容溝に内設し、前記可動ピンは選択により前記ウォームギヤの押し当て端に係止して置き、前記ウォームギヤの摺動を避け、
【０００３】
前記ヘッド部と前記連結端との間は、枢軸と、第１ばねと、前記可動ピンと、第２ばねとを設けることによって、前記ヘッド部が前記枢軸を軸心として、前記ハンドル部に対してピボット旋回することができ、前記第１ばねの一部分は前記第１ばね穴に内設していて、かつ前記ヘッド部と前記連結端との間に押し当て、前記可動ピンと、前記第１ばねはそれぞれ前記枢軸の両側に位置し、前記第２ばねは前記可動ピンに嵌設し、かつ前記押し当て縁部と前記ヘッド部との間に押し当てることによって、前記可動ピンの下端を前記連結端に係止させることができ、前記第１ばねの弾力を前記第２ばねの弾力より強く設けることによって、押し当て面を自然状態に駆動したとき、ヘッド部の下端にて押し当てることを維持でき、すなわち、切り取り溝の底ヘリに押し当てることができることが開示されている。
【先行技術文献】
【特許文献】
【０００４】
【特許文献１】台湾特許証書第Ｉ３５４６０５号
【考案の概要】
【考案が解決しようとする課題】
【０００５】
前述特許は第１ばねをヘッドに押し当てることによって、ヘッド部の復位効果が提供される。しかし、この種のような一つのみのばねを頼りに復位効果を提供する設計は、往復式自在スパナが継続的に揺動すると、第１ばねに変形を引き起す恐れがあり、第１ばねが変形することによって、第１ばねの弾性回復力が弱まってしまい、往復式自在スパナの往復運動の能力が影響される。
【０００６】
よって、本考案は少なくとも、従来技術に遭遇する問題を解決または軽減することを図る。
【課題を解決するための手段】
【０００７】
本考案が解決しようとする技術問題は前記した技術課題についてなされた、２つのばねを備える往復式自在スパナを提供する。
【０００８】
本考案の２つのばねを備える往復式自在スパナは、把持端と、枢接端とを含み、把持端と枢接端とはそれぞれ反対端に位置し、把持端は使用者の把持に備え、枢接端に受入穴を設けられ、受入穴を枢接端の端部に凹設されるハンドルと、ハンドルの枢接端に枢接し、一端は挟持口を設け、他端は係止面を設け、被駆動部材を挟持口に挟み込むことができるヘッド部と、一端は受入穴に収容し、受入穴の反対端は係止面に係止する第１ばねと、一端は受入穴に収容していて、かつ第１ばねに穿設し、受入穴の反対端は係止面に係止し、第１ばねとは異なる巻き込み方向を形成し、ヘッド部がハンドルに対して揺動するとき、第１ばねとを併せてヘッド部の復位を提供し、第１ばねと異なる巻き込み方向によって、第１ばねとが過度な揺動による変形を防止できる第２ばねと、を備える。
【０００９】
本考案の主な技術改善の手段は、第１ばねと第２ばねによって、ヘッド部の復位を提供され、かつ第１ばねと第２ばねとを異なる巻き込み方向を形成することによって、第１ばねと第２ばねとが過度な揺動による変形を防止できる。
【００１０】
本考案つぎの技術改善の手段は、制動装置を第１位置と第２位置との間で切り換え改変でき、制動装置が第１位置と第２位置に位置するときは、本考案の２つのばねを備える往復式自在スパナを第１方向に回して被駆動部材を駆動回動することができ、制動装置を第１位置に切り換えられたとき、本考案の２つのばねを備える往復式自在スパナを第２方向に回すと共に、被駆動部材を駆動回動できる。制動装置を第１位置に切り換えられたとき、制動装置はハンドルの切欠きと、係止面に係止される。このとき、本考案の２つのばねを備える往復式自在スパナを第２方向に回して被駆動部材を駆動回動することができる。制動装置を第２位置に切り換えたとき、制動装置は切欠きを離脱する。本考案の２つのばねを備える往復式自在スパナを第２方向に回したとき、本考案の２つのばねを備える往復式自在スパナは被駆動部材に対してラチェット運動することができる。
【００１１】
その他の目的、長所ならびに本考案の新規性は以下の詳細説明と関連図面を添付して、説明する。
【考案の効果】
【００１２】
以下の説明内容から、本考案は以下の長所をまとめることができる。
【００１３】
イ、本考案の２つのばねを備える往復式自在スパナは、第１ばねと第２ばねによって、ヘッド部の復位を提供され、かつ第１ばねと第２ばねとを異なる巻き込み方向を形成することによって、第１ばねと第２ばねとが過度な揺動による変形を防止できる。
【００１４】
ロ、本考案の２つのばねを備える往復式自在スパナは、制動装置を第１位置と第２位置との間で切り換え改変でき、制動装置が第１位置と第２位置に位置するとき、本考案の２つのばねを備える往復式自在スパナを第１方向に回して被駆動部材を駆動回動することができ、制動装置を第１位置に切り換えられたとき、本考案の２つのばねを備える往復式自在スパナを第２方向に回すと共に、被駆動部材を駆動回動できる。制動装置を第１位置に切り換えられたとき、制動装置はハンドルの切欠きと、係止面に係止される。このとき、本考案の２つのばねを備える往復式自在スパナを第２方向に回して被駆動部材を駆動回動することができる。制動装置を第２位置に切り換えたとき、制動装置は切欠きを離脱する。本考案の２つのばねを備える往復式自在スパナを第２位置に切り換えたとき、本考案の２つのばねを備える往復式自在スパナは被駆動部材に対してラチェット運動することができる。
【図面の簡単な説明】
【００１５】
【図１】本考案の２つのばねを備える往復式自在スパナの立体外観図である。
【図２】本考案の２つのばねを備える往復式自在スパナの立体分解図である。
【図３】本考案の２つのばねを備える往復式自在スパナの分解断面図である。
【図４】本考案の２つのばねを備える往復式自在スパナの組み合わせ断面図である。
【図５】本考案の２つのばねを備える往復式自在スパナの上面図である。
【図６】本考案の２つのばねを備える往復式自在スパナの断面図である。
【図７】本考案図６の続き、２つのばねを備える往復式自在スパナによって被駆動部材を挟持する状態を示す図である。
【図８】本考案図６の続き、２つのばねを備える往復式自在スパナが第１方向に回動し、かつ制動装置が第１位置に切り換えられているところを示す図である。
【図９】本考案の２つのばねを備える往復式自在スパナが第２方向に回動し、かつ制動装置が第２位置に切り換えられているところを示す図である。
【図１０】本考案図９の続き、可動顎が被駆動部材に対してラチェット運動を示す図である。
【図１１】本考案図１０の続き、可動顎が被駆動部材に対してラチェット運動を示す図である。
【図１２】本考案図１１の続き、２つのばねを備える往復式自在スパナが第１方向に回動して、被駆動部材を駆動するところを示す図である。
【考案を実施するための形態】
【００１６】
本考案による技術、手段ならびに効果は、好ましい実施例と図式を合わせて、以下の通り説明する。ただし、本考案の請求範囲はこれらの構造に制限されない。
【実施例】
【００１７】
図１ないし５、本考案の２つのばねを備える往復式自在スパナの立体外観図と、立体分解図と、態様図とをそれぞれ参照する。本考案の２つのばねを備える往復式自在スパナはハンドル１０と、ヘッド部２０と、第１ばね３０と、第２ばね４０と、を備え、ハンドル１０は把持端１０１と、枢接端１０２とを含み、把持端１０１と枢接端１０２はそれぞれ反対端に位置し、ハンドル１０の把持端１０１は使用者の把持に提供し、ハンドル１０の枢接端１０２は受入穴１１を設けられ、受入穴１１はハンドル１０の枢接端１０２の端部に凹設されている。
【００１８】
ヘッド部２０は第１端２０１と、第２端２０２とを有し、ヘッド部２０の第１端２０１はハンドル１０の枢接端１０２に枢接し、ヘッド部２０の第１端２０１に係止面２１を設け、ヘッド部２０の第２端２０２に挟持口ａを形成し、被駆動部材ｂを挟持口ａに挟み込むことができる（図７）。
【００１９】
第１ばね３０の一端は受入穴１１に収容していて、かつ第１ばね３０が受入穴の反対端は係止面に係止する。第２ばね４０の一端は受入穴１１に収容していて、かつ第１ばね３０に穿設し、第２ばね４０が受入穴の反対端は係止面に係止され、第１ばね３０と第２ばね４０とが異なる巻き込み方向を形成し、ヘッド部２０がハンドル１０に対して揺動するとき、第１ばね３０と第２ばね４０とを合わせてヘッド部２０の復位を提供し、かつ第１ばね３０と第２ばね４０とが異なる巻き込み方向を形成することによって、第１ばね３０と第２ばね４０とが過度な揺れ動きによる変形を防止できる。第１ばね３０と第２ばね４０とを圧縮ばねを形成する。第１ばね３０の弾性解放により第１長さＬ１を形成し、第２ばね４０の弾性解放によって、第２長さＬ２を形成する。第１長さＬ１と第２長さＬ２が等しいである。
【００２０】
図６、本考案の２つのばねを備える往復式自在スパナによる断面図を合わせて参照する。本実施例において、２つのばねを備える往復式自在スパナは自在スパナを例示する。ハンドル１０の枢接端１０２の端部は、第１押し当て面１０３と、第２押し当て面１０４とを含み、受入穴１１を第１押し当て面１０３に凹設する。枢接端１０２は第１枢支穴１２と、揺動溝１３と、切欠き１４とをさらに設けられている。受入穴１１と第１枢支穴１２は、揺動溝１３と、切欠き１４との間位置する。揺動溝１３は第１枢支穴１２に隣接し、切欠き１４は受入穴１１に隣接する。第１枢支穴１２はハンドル１０の反対両面を穿設し、揺動溝１３は第２押し当て面１０４に穿設し、揺動溝１３は湾曲部１３１と、２つの斜面１３２とを含み、湾曲部１３１は２つの斜面１３２の間に位置する。切欠き１４は第１押し当て面１０３に穿設する。
【００２１】
ヘッド部２０は固定顎２２と、可動顎２３と、収容空間２４と、通り穴２５と、第２枢支穴２６と、制限溝２７と、収容溝２８と、嵌め継ぎ溝２９と、を含む。固定顎２２と可動顎２３との間に挟持口ａを形成し、可動顎２３は固定顎２２に対して移動することによって、挟持口ａの開度を制御できる。
【００２２】
収容空間２４はヘッド部２０の第１端２０１と第２端２０２との間に位置し、収容空間２４は通り穴２５に連絡し、通り穴２５は制限溝２７に連絡し、第２枢支穴２６はヘッド部２０を貫くと共に、収容溝２８はヘッド部２０に貫き、制限溝２７と、第２枢支穴２６と、収容溝２８とを嵌め継ぎ溝２９に連絡し、嵌め継ぎ溝２９は第２端２０２の端部を貫き、嵌め継ぎ溝２９はハンドル１０の枢接端１０２に嵌着し、係止面２１は嵌め継ぎ溝２９内部の底面に位置する。
【００２３】
本考案の２つのばねを備える往復式自在スパナはさらに枢軸５１と、揺動具５２と、制動装置６０と、調節装置７０と、を含む。枢軸５１は第１枢支穴１２と、第２枢支穴２６に穿設することによって、ハンドル１０とヘッド部２０とを一体に枢接する。
【００２４】
揺動具５２は揺動部５２１と、２つの押し当て面５２２とを含み、押し当て面５２２は揺動部５２１に沿って延在し、揺動部５２１の周辺部は湾曲を形成し、押し当て面５２２は平坦面を形成し、２つの押し当て面５２２うち一つの端面は第１面取り部５２３を設けられている。揺動具５２の揺動部５２１は揺動溝１３の湾曲部１３１を設け、揺動具５２の押し当て面５２２によって、制限溝２７を押し当てる。
【００２５】
制動装置６０はハンドル１０とヘッド部２０との間に設けられ、制動装置６０は収容溝２８に穿設していて、かつ選択により切欠き１４に位置し、制動装置６０は押し当て面２１に当接する。
【００２６】
制動装置６０は制動具６１と、制動ブロック６２と、を含む。制動具６１は制動部６１１と、軸部６１２とを含み、軸部６１２はヘッド部２０の受入穴２８に穿設することによって、嵌め継ぎ溝２９に延在し、制動部６１１はヘッド部２０の外部に位置する。制動ブロック６２は第１係止面６２１と、第２係止面６２２と、丸穴６２３とを含み、第１係止面６２１はＬ字を形成し、第２係止面６２２は第１係止面６２１に隣接し、丸穴６２３を制動ブロック６２に穿設する。制動ブロック６２は嵌め継ぎ溝２９に内設していて、かつ制動ブロック６２の第１係止面６２１はハンドル１０の切欠き１４に設けられ、制動具６１の軸部６１２は丸穴６２３に穿設することによって、制動具６１が制動ブロック６２を駆動移動することができる。
【００２７】
調節装置７０はヘッド部２０に内設し、調節装置７０は可動顎２３を調節することによって、固定顎２２に対して移動すると共に、挟持口ａの開度を制御できる。
【００２８】
調節装置７０は軸７１と、弾性部材７２と、ウォームギヤ７３と、留め具７４とを含む。軸７１は順を追って、第１リング溝７１１と、大きい径の区間７１２と、小さい径の区間７１３と、第２リング溝７１４とを含み、第１リング溝７１１と大きい径の区間７１２とのつなぎ場所は第２面取り部７１５を形成し、軸７１は通り穴２５と、収容空間２４とを穿設し、軸７１の第１リング溝７１１は通り穴２５に対応し、弾性体７２と、ウォームギヤ７３と、留め具７４とを収容空間２４に内設する。軸７１は順を追って、弾性体７２と、ウォームギヤ７３に穿設し、大きい径の区間７１２は弾性体７２に対応し、小さい径の区間７１３はウォームギヤ７３に対応し、留め具７４は軸７１の第２リング溝７１４に係着する。揺動具５２の押し当て面５２２は第１リング溝７１１に延在していて、かつ第１面取り部５２３は第２面取り部７１５に対応する。ウォームギヤ７３を回すことによって、可動顎２３を駆動し固定顎２２に対して移動することができる。
【００２９】
引き続き図７と８、本考案の２つのばねを備える往復式自在スパナによって被駆動部材を挟持する状態を示す図を参照する。本考案の２つのばねを備える往復式自在スパナは第１方向と第２方向の間で切り換え回動ができ、本考案の２つのばねを備える往復式自在スパナを第１方向に回したとき、係止面２１は第２押し当て面１０４に押し当て、揺動具５２は第１リング溝７１１に係止することによって、可動顎２３は固定顎２２に対して移動することはできなく、被駆動部材ｂを挟持口ａに挟み込み、本考案の２つのばねを備える往復式自在スパナを第１方向に回動し、被駆動部材ｂを駆動回動することができる。
【００３０】
制動装置６０を第１位置と第２位置との間で切り換え改変でき、制動装置６０が第１位置と第２位置にあるとき、本考案の２つのばねを備える往復式自在スパナを第１方向に回して、被駆動部材ｂを駆動回動することができる。制動装置６０を第１位置に切り換えられたとき、本考案の２つのばねを備える往復式自在スパナを第２方向に回して、被駆動部材ｂを駆動回動することができる。
【００３１】
制動装置６０を第１位置に切り換えられたとき、制動装置６０の制動ブロック６２に備える第１係止面６２１がハンドル１０の切欠き１４に当接することによって、第２係止面６２２を係止面２１に係止させる。このとき、本考案の２つのばねを備える往復式自在スパナを第２方向に回して、被駆動部材ｂを駆動回動することができる。
【００３２】
図９ないし１２、本考案の２つのばねを備える往復式自在スパナが被駆動部材に対してラチェット運動を示す図を参照する。使用者が制動部６１１を回動（図２）制動し、軸部６１２が制動ブロック６２を駆動して切欠き１４を離脱したとき、制動装置６０は第２位置に切り換えられる。
【００３３】
本考案の２つのばねを備える往復式自在スパナを第２方向に回したとき、本考案の２つのばねを備える往復式自在スパナは被駆動部材ｂに対してラチェット運動を形成する。
【００３４】
ハンドル１０は枢軸５１を枢支点として枢動し、揺動具５２が第１リング溝７１１を離脱し、揺動具５２と、第１リング溝７１１は第１面取り部５２３と、第２面取り部７１５によって、相互を離脱することができる。
【００３５】
揺動具５２の押し当て面５２２は２つの斜面１３２の間で揺れ動くことができ、可動顎２３は被駆動部材ｂに沿ってラチェット運動し、係止面２１が第１押し当て面１０３に係止して、かつ係止面２１は第１ばね３０と、第２ばね４０とを押圧する。
【００３６】
本考案の２つのばねを備える往復式自在スパナを第１方向に回して、被駆動部材ｂを駆動するとき、被駆動部材ｂを挟持口ａに挟み、第１ばね３０と、第２ばね４０とを同時に押し当て面２１を押し当てすることによって、第２押し当て面１０４を押し当て面２１に押し当てる。第１ばね３０と、第２ばね４０は、２つのばねを有することと、異なる巻き込み方向の特徴とを兼ね備えており、相互に牽制し、それぞれ異なる方向に巻き込み変形することによって、第１ばね３０と、第２ばね４０の使用寿命をさらに延長し、本考案の２つのばねを備える往復式自在スパナの使用寿命を延長することができる。
【００３７】
以上に説明したものは、本考案の好ましい実施例であり、本考案実施の範疇に制限を加わるべきではなく、本考案による数値的の変更又は等効果素子の置き換え、若しくは本考案の特許請求の範囲による変更又は修整とも本考案の特許範疇に含まれるものである。
【符号の説明】
【００３８】
１０        ハンドル
１０１      把持端
１０２      枢接端
１０３      第１係止面
１０４      第２係止面
１１        受入穴
１２        第１枢支孔
１３        揺動溝
１３１      湾曲部
１３２      斜面
１４        切欠き
２０        ヘッド部
２０１      第１端
２０２      第２端
２１        係止面
２２        固定顎
２３        可動顎
２４        収容空間
２５        通り穴
２６        第２枢支孔
２７        制限溝
２８        収容溝
２９        嵌め継ぎ溝
ａ          挟持口
３０        第１ばね
Ｌ１        第１長さ
４０        第２ばね
Ｌ２        第２長さ
５１        枢軸
５２        揺動具
５２１      揺動部
５２２      押し当て面
５２３      第１面取り部
６０        制動装置
６１        制動具
６１１      制動部
６１２      軸部
６２        制動ブロック
６２１      第１係止面
６２２      第２係止面
６２３      丸穴
７０        調節装置
７１        軸
７１１      第１リング溝
７１２      大きい径の区間
７１３      小さい径の区間
７１４      第２リング部
７１５      第２面取り部
７２        弾性体
７３        ウォームギヤ
７４        留め具
ｂ          被駆動部材
【図１】
0003183139.tif 000003
【図２】
0003183139.tif 000004
【図３】
0003183139.tif 000005
【図４】
0003183139.tif 000006
【図５】
0003183139.tif 000007
【図６】
0003183139.tif 000008
【図７】
0003183139.tif 000009
【図８】
0003183139.tif 000010
【図９】
0003183139.tif 000011
【図１０】
0003183139.tif 000012
【図１１】
0003183139.tif 000013
【図１２】
0003183139.tif 000014
【手続補正書】
【提出日】平成25年2月26日(2013.2.26)
【手続補正１】
【補正対象書類名】実用新案登録請求の範囲
【補正対象項目名】全文
【補正方法】変更
【補正の内容】
【実用新案登録請求の範囲】
【請求項１】
把持端と、枢接端とを含み、前記把持端と前記枢接端はそれぞれ反対端に位置し、前記把持端は使用者の把持に備え、前記枢接端に受入穴を設け、前記受入穴は前記枢接端の端部に凹設するハンドルと、
前記ハンドルの前記枢接端に枢接し、一端は挟持口を設け、他端は係止面を設け、被駆動部材を前記挟持口にて挟み込むヘッド部と、
一端は前記受入穴に収容していて、かつ前記受入穴の反対端を前記係止面に係止する第１ばねと、
一端は前記受入穴に収容していて、かつ前記第１ばねに穿設し、前記受入穴の反対端は前記係止面に係止し、前記第１ばねと異なる巻き込み方向を形成し、前記ヘッド部が前記ハンドルに対して揺動のとき、前記第１ばねと合わせて前記ヘッド部の復位を提供し、かつ前記第１ばねと異なる巻き込み方向を形成することによって、前記第１ばねとが過度な揺れ動きによる変形を防止できる第２ばねと、を備えることを特徴とする、２つのばねを備える往復式自在スパナ。
【請求項２】
枢軸と、制動装置とをさらに含み、前記第１ばねと、前記第２ばねは圧縮ばねであり、前記第１ばねの弾性解放によって、第１長さを形成し、前記第２ばねの弾性解放によって、第２長さを形成し、前記第１長さは前記第２長さに等しく、
前記ハンドルに備える前記枢接端の端部は第１係止面と、第２係止面とを含み、前記係止面は前記第１係止面に係止していて、かつ前記係止面が前記第１ばねと、前記第２ばねとを係止し、前記挟持口が被駆動部材を挟み込み、前記第１ばねと、前記第２ばねとが共に前記係止面を係止することによって、前記第２係止面を前記係止面に係止され、
前記ヘッド部は第１端と、第２端とを有し、前記ヘッド部の前記第１端は前記ハンドルの前記枢接端に枢接し、前記ヘッド部の前記第１端は前記係止面を設けられ、前記ヘッド部の前記第２端は前記挟持口を形成し、前記枢接端に第１枢支穴を設け、前記ヘッド部は第２枢支穴と嵌め継ぎ溝とを含み、前記第２枢支穴は前記嵌め継ぎ溝に連絡し、前記嵌め継ぎ溝は前記第２端の端部を貫き、前記嵌め継ぎ溝を前記ハンドルの前記枢接端に嵌め継ぎ、前記係止面は前記嵌め継ぎ溝内部の底面に位置し、前記枢軸は前記第１枢支穴と、前記第２枢支穴とを穿設することによって、前記ハンドルと、前記ヘッド部とを一体に枢接され、
前記枢接端はさらに切欠きを設けられ、前記切欠きは前記受入穴に隣接し、前記切欠きは前記第１係止面に穿設し、前記ヘッド部は収容溝を含み、前記収容溝は前記嵌め継ぎ溝に連絡し、前記制動装置は前記ハンドルと前記ヘッド部との間に組み付けられ、前記制動装置は前記収容溝に穿設していて、かつ選択により前記切欠きに位置し、前記制動装置は前記係止面に係止され、
前記制動装置は制動具と、制動ブロックとを含み、前記制動具は制動部と、軸部とを含み、前記軸部を前記ヘッド部の前記収容溝に穿設することによって、前記嵌め継ぎ溝に延ばし、前記制動部は前記ヘッド部の外部に位置し、前記制動ブロックは第１係止面と、第２係止面と、丸穴とを含み、前記第１係止面はＬ字を形成し、前記第２係止面は前記第１係止面に隣接し、前記丸穴は前記制動ブロックに穿設し、前記制動ブロックは前記嵌め継ぎ溝に内設していて、かつ前記制動ブロックの第１係止面は前記ハンドルの前記切欠きに当設し、前記制動具の前記軸部は前記丸穴を穿設することによって、前記制動具が前記制動ブロックを駆動し移動することができ、
前記制動装置は前記第１位置と前記第２位置との間で切り換え改変ができ、前記制動装置を前記第１位置と前記第２位置に切り換えられたとき、前記往復式自在スパナを第１方向に回して被駆動部材を駆動回動することができ、前記制動装置を前記第１位置に切り換えられたとき、前記往復式自在スパナを第２方向に回して被駆動部材を駆動回動することができ、
前記制動装置を前記第１位置に切り換えられたとき、前記制動装置の前記制動ブロックに備える前記第１係止面が前記ハンドルの前記切欠きに当接することによって、前記往復式自在スパナを第２方向に回して被駆動部材を駆動回動することができ、
使用者が前記制動部を回して、前記軸部によって前記制動ブロックを駆動し前記切欠きを離脱したとき、前記制動装置は第２位置に位置され、
前記往復式自在スパナを第２方向に回したとき、前記往復式自在スパナは前記被駆動部材に対してラチェット運動を形成することを特徴とする、請求項１記載の往復式自在スパナ。
【請求項３】
揺動具と、調節装置とをさらに含み、前記揺動具は揺動部と、２つの押し当て面とを含み、前記押し当て面は前記揺動部に沿って延在し、前記揺動部の周辺部は湾曲を形成し、前記押し当て面は平坦面を形成し、
前記ヘッド部は制限溝を含み、前記枢接端に揺動溝を設け、前記揺動溝は湾曲部と、２つの斜面とを含み、前記湾曲部は２つの前記斜面の間に位置され、
前記揺動具の前記揺動部は前記揺動溝の前記湾曲部に設け、前記揺動具の前記押し当て面が前記制限溝を押し当て、
前記調節装置は軸と、弾性体と、ウォームギヤと、留め具とを含み、前記ヘッド部は固定顎と、可動顎と、収容空間と、通り穴とを含み、前記固定顎と前記可動顎との間に前記挟持口を形成し、前記可動顎が前記固定顎に対して移動することによって、前記挟持口の開度を制御でき、前記収容空間は前記通り穴に連絡し、前記通り穴は前記制限溝に連絡し、前記軸は前記通り穴及び前記収容空間に穿設し、前記弾性体と、前記ウォームギヤと、前記留め具とを前記収容空間に内設され、前記軸は順を追って、前記弾性体と、前記ウォームギヤとを穿設し、前記留め具は前記軸に係着し、前記ウォームギヤを回すことによって、前記可動顎を前記固定顎に対して移動することができ、
前記軸は順を追って、第１リング溝と、大きい径の区間と、小さい径の区間と、第２リング溝とを含み、前記軸の前記第１リング溝は前記通り穴に対応し、前記揺動具の前記押し当て面は前記第１リング溝に延在し、前記大きい径の区間は前記弾性体に対応し、前記小さい径の区間は前記ウォームギヤに対応され、
２つの前記押し当て面うちの一つ端面は第１面取り部を設けられ、前記第１リング溝と、前記大きい径の区間とのつなぎ場所に第２面取り部を形成し、前記第１面取り部は前記第２面取り部に対応し、前記揺動具と前記第１リング溝は前記第１面取り部と、前記第２面取り部によって、両者は容易に離脱できることを特徴とする、請求項１記載の往復式自在スパナ。